(57)【要約】【課題】壁面の出隅用として好適な立体装飾用ボードとその施工法を提供する。【解決手段】セラミックス板12の側面に延伸部材20を接合して装飾用樹脂フィルム14を四方巻込貼りした立体装飾用ボード10とする。延伸部材20は、その形状が伸長辺22を持つ角柱形状であり、その素材は金属である。延伸部材20の表面とセラミックス板12の表面とは面一であり、伸長辺22の内側がセラミックス板12の裏面と接合しているものである。出隅の壁面下地40に接着させる際には、勝ち側30にこの立体装飾用ボード10を適用し、延伸部材20に相当する箇所を出隅の角から突出させる。【選択図】図３
2020090866.tif 000002
【特許請求の範囲】
【請求項１】
セラミックス板の一方板面を表面、反対板面を裏面、板面を除く４面を側面としたときに、該セラミックス板のいずれか１の側面に延伸部材を接合して一体化した板状の不燃性基材パネルとし、
前記不燃性基材パネルの表面、４側面および裏面の縁部を装飾用樹脂フィルムでラミネート加工した立体装飾用ボードであって、
前記延伸部材の素材が金属であり、
前記延伸部材は、その裏面から板状に伸びる伸長辺を持つ角柱形状であり、
前記延伸部材の表面と前記セラミックス板の表面とが面一であり、
前記伸長辺の表面のうち、前記角柱側を内側、反対側を外側としたときに、
前記伸長辺の内側が、前記セラミックス板の裏面と接合している
立体装飾用ボード。
【請求項２】
前記延伸部材を含む側の前記不燃性基材パネルの幅について、前記不燃性基材パネルの幅βに対する前記伸長辺を除いた前記延伸部材の幅αの割合（１００×α／β）が１〜１０％である請求項１記載の立体装飾用ボード。
【請求項３】
前記延伸部材を構成する金属材が、アルミニウムまたはこれを含む合金である請求項１記載の立体装飾用ボード。
【請求項４】
前記伸長辺の厚みが０．５〜５．０ｍｍである請求項１記載の立体装飾用ボード。
【請求項５】
請求項１〜４いずれかの項に記載の立体装飾用ボードを用いた壁面の出隅への立体修飾施工法であって、
前記立体装飾用ボードの一部を前記出隅の角を超えて突出させた状態で前記壁面の壁面下地に接着するにあたって、前記立体装飾用ボードの前記装飾用樹脂フィルム内部における前記延伸部材に相当する箇所が突出するように接着する工程を経る立体修飾施工法。
【請求項６】
前記立体修飾施工法において、前記伸長辺の外側の面と前記壁面下地とが接着されるとともに、
前記伸長辺との接着箇所を除いた前記セラミックス板の裏面と前記壁面下地との接着にあたって、厚み０．５〜６．０ｍｍの両面粘着テープを用いて接着する請求項５記載の立体修飾施工法。
【発明の詳細な説明】
【技術分野】
【０００１】
本発明は、建築物の壁面、とりわけ出隅に立体的な装飾を行なう際に有用な立体装飾用ボードとこれを用いた立体装飾施工法に関する。
【背景技術】
【０００２】
従来、建築物における内装の装飾としては、例えば壁面であれば壁面下地に壁紙を貼付する方法が一般的である。壁紙を貼付すれば、その装飾は平面的なものとなる。一方で近年、壁面下地に立表面が装飾された複数同形状のパネルを、釘などの留具を使って下地材に取り付けるなどした立体的な内装装飾が採用されることも増えてきている（例えば、特許文献１）。
【０００３】
そのような立体的な内装装飾を施工する方法としてスリーエムジャパン株式会社が提唱するＤボード工法がある（建築基準法施行規則第10条の5の22の規定に基づく防火材料／防火設備の認定。認定番号：ＮＭ-0131，平成13年8月23日認定，名称「塩化ビニル樹脂フィルム張／不燃材料（金属板を除く）」）。
【０００４】
Ｄボード工法は、ケイ酸カルシウムの不燃性基材パネルの表面、４側面および裏面の縁を巻き込んで装飾用の塩化ビニル樹脂フィルムをラミネート加工（四方巻込貼り）して装飾用ボードにするとともに、壁面下地についても、複数の装飾用ボードを取り付けた際に目地になる箇所にも予め同種の装飾用の塩化ビニル樹脂フィルムを貼付した上で、両面テープと接着剤を使用して壁面下地に前記装飾用ボードを目透かし貼りする施工方法である。
【０００５】
スリーエムジャパン株式会社では、前記の塩化ビニル樹脂フィルムとしてダイノック（登録商標）フィルムを使用し、同社特約業者・施工業者の業者の工場で前記の不燃性基材パネルのラミネート加工された装飾用ボードを使用することを条件に、Ｄボード工法を一般の内装施工業者等にも開放している。すなわちＤボード工法では、不燃性基材パネルのラミネート加工を技術を有する特定の業者によって工場貼りされるので、工期が短縮できるとともに、均一で美しい仕上がりにすることができる。
【０００６】
ところで建物には建物全体を支えるための支柱を通す必要があることから、ほとんどの部屋の壁面には、入り隅（二つの壁が内向きに入りあってできる角）だけでなく出隅（二つの壁が外向きに出あってできる角）が存在する。出隅に上記のような立体的な装飾を行なう場合、勝ち負けと称される処理を行なう。勝ち負けの処理とは、図４の出隅箇所における立体装飾の部分斜視図に示したように、一方の壁に施された立体装飾用ボード１０を出隅の角を超えて突出させる勝ち側３０と、他方の壁に施された立体装飾用ボード１１を出隅の角の手前で終端を迎えさせる負け側３２をつくる処理である。
【先行技術文献】
【特許文献】
【０００７】
【特許文献１】特開２００１−２７０３０号
【発明の概要】
【発明が解決しようとする課題】
【０００８】
ここで勝ち負けの処理を行なうと、勝ち側の立体装飾用ボードの出隅の角を超えて突出させた箇所が外部からの不慮の衝撃を受けやすくなる。立体装飾用ボードの基材である不燃性基材パネルの材料であるケイ酸カルシウムは、耐火性・断熱効果・強度には優れるが、耐衝撃性が十分備わっているとは言い難い。このため、勝ち側の立体装飾用ボードの突出箇所に強い衝撃が加わった場合、立体装飾用ボードは内部から破壊され、立体装飾としての形状が維持できなくなることがあるという問題があった。
【０００９】
上記現状を鑑みて、本発明では、出隅に立体装飾を行なうにあたって、勝ち側の立体装飾用ボードにおいて、出隅の角を超えて突出している箇所が容易に破壊されない立体装飾用ボードと、これを用いた出隅への立体装飾施工法を提供することを課題とする。
【課題を解決するための手段】
【００１０】
上記課題を解決するために、本発明の立体装飾用ボードでは
セラミックス板の一方板面を表面、反対板面を裏面、板面を除く４面を側面としたときに、該セラミックス板のいずれか１の側面に延伸部材を接合して一体化した板状の不燃性基材パネルとし、
前記不燃性基材パネルの表面、４側面および裏面の縁部を装飾用樹脂フィルムでラミネート加工した立体装飾用ボードであって、
前記延伸部材の素材が金属であり、
前記延伸部材は、その裏面から板状に伸びる伸長辺を持つ角柱形状であり、
前記延伸部材の表面と前記セラミックス板の表面とが面一であり、
前記伸長辺の表面のうち、前記角柱側を内側、反対側を外側としたときに、
前記伸長辺の内側が、前記セラミックス板の裏面と接合していることを最も主要な特徴とする。
【００１１】
そして本発明である前記立体装飾用ボードを用いた壁面の出隅への立体修飾施工法の発明においては、
前記立体装飾用ボードの一部を前記出隅の角を超えて突出させた状態で前記壁面の壁面下地に接着するにあたって、前記立体装飾用ボードの前記装飾用樹脂フィルム内部における前記延伸部材に相当する箇所が突出するように接着する工程を経ることを最も主要な特徴とする。
【発明の効果】
【００１２】
本発明の立体装飾施工法によって、不慮の衝撃を受けやすい出隅における勝ち側に本発明の立体装飾用ボードに適用することで、該ボードの耐衝撃性が向上し、そのような衝撃を受けた場合でも、立体装飾用ボードの形状を維持することができる。
【図面の簡単な説明】
【００１３】
【図１】本発明の立体装飾用ボードの表面があらわれる外観斜視図である。
【図２】本発明の立体装飾用ボードであって、図２のＡ−Ａ線断面図である。        (a)基本の様態  (b)ひとつのバリエーションの様態
【図３】本発明の立体装飾施工法を出隅箇所に適用した様子を示す横断面平面図である。
【図４】出隅箇所における立体装飾の部分斜視図である。
【発明を実施するための形態】
【００１４】
以下、本発明の立体装飾用ボードとこれを用いた出隅への立体修飾施工法について図面を用いて詳述するが、本発明は図面に示された様態のみに限られるものではない。図１は本発明の立体装飾用ボードの表面があらわれる外観斜視図である。図２は本発明の立体装飾用ボードであって、図１の立体装飾用ボードに示したＡ−Ａ線断面図である。このうち(a)は基本の様態であり、(b)は様々存在するバリエーションのうちの一つの様態である。
【００１５】
（立体装飾用ボード）
本明細書で「板」「板状」の文言が使われるとき、普遍的に認識されている板の形状の物体を指すが、定義として説明すれば、板（状）とは、一般的に対向する三平面による立体形状のうち、一の対向平面が他の二の対向平面より十分広い表面積を持つ形状である。その十分広い表面積の対向平面が板面であり、板面の一方が表面、他方を裏面であり、その他の面（対向平面が四辺形であれば４面）が側面である。本発明において立体装飾用ボードの表面と裏面は、本発明の出隅への立体修飾施工法での使い方で規定される。立体装飾として表にあらわれる側の面が表面であり、壁面下地に接着される側の面が裏面である。ひいては、後述するセラミックス板、延伸部材および不燃性基材パネルの表裏もこれに合わせて定義でき、立体装飾として表にあらわれる側である表面は、後述の通り板面のうち装飾用樹脂フィルムで完全に覆われる側の面と言い換えることもできる。
【００１６】
壁面に貼り付けるタイプの一般的な立体装飾用ボード１１は、一枚のセラミックス板１２自体を不燃性基材パネルとし、その表面、４側面および裏面の縁部を装飾用樹脂フィルム１４でラミネート加工したものである。つまり四方巻込貼りである。これにより不燃性基材パネルの表面と側面は装飾用樹脂フィルム１４で完全に覆われる。立体装飾用ボード１１の外観は、図１の斜視図に示したもの（図１の符号で１０のもの）と同様のものになる。壁面に立体的修飾を行なう際には、立体装飾用ボード１１の裏面を壁面下地に接着する。両者の接着には接着剤１６または両面粘着テープ１８を用いるのが一般的である。なお、図面において符号では不燃性基材パネルを指し示していない。不燃性基材パネルに符号をつけると図面上ではセラミックス板１２や立体装飾用ボード１０とほぼ同じ箇所を指し示すことになり、かえって分かりにくくなるためである。
【００１７】
セラミックス板１２の素材としては不燃性を有するセラミックスを使用することができる。なかでも上述のＤボード工法で用いられるケイカル（ケイ酸カルシウム）が好ましい。また装飾用樹脂フィルム１４の素材としては、不燃性基材パネルの表面に接着できる装飾用の樹脂フィルムであれば良いが、一般的には装飾用の塩化ビニル樹脂フィルムが用いられる。具体的には、上述のＤボード工法で用いられるダイノック（登録商標）フィルムを挙げることができる。セラミックス板１２の厚みについては、接着される壁面の立体的な修飾が壁面からどの程度突き出ているのが美的であるのかなどを加味した仕様によって適宜定めることができるが、通常は３〜１０ｍｍ程度である。
【００１８】
（延伸部材）
本発明の立体装飾用ボード１０に使用する不燃性基材パネルでは、セラミックス板１２のみならず、該セラミックス板１２のいずれか１の側面に延伸部材２０を接合して一体化した板状のパネルとする。本発明の立体装飾用ボード１０でも、不燃性基材パネルの表面と側面は装飾用樹脂フィルム１４で完全に覆われるので、表面からの外見は、図１に示したものなる。一方、その断面は、図２(a)，図２(b)に示したとおり、一般的な立体装飾用ボード１１とは異なる構造を持つ。
【００１９】
この延伸部材２０は、本発明の出隅への立体修飾施工法で用いるにあたって、出隅の角を超えて突出する勝ち側３０の突出部位にあたる。このため、延伸部材２０には強度と耐衝撃性が求められる。加えて建築材の内部部材としての耐劣化性、耐腐食性そして耐熱性も求められる。このような観点から延伸部材２０の素材は金属とする。なかでもアルミニウムもしくはこれを含む合金や、ステンレスもしくはこれを含む合金が好ましく、さらには軽量性の観点からアルミニウムもしくはこれを含む合金がより好ましい。
【００２０】
図２の断面図は、本発明の立体装飾用ボード１０の様態である。延伸部材２０の形状は、後述する伸長辺２２を除くと角柱形状である。角柱は図２(a)のように空洞でもよいし、図２(b)のバリエーションのように充填されていてもよいし、或いは角柱の空洞内部に円柱棒を配しているようなバリエーション様態（図示せず）などであってもよい。不燃性基材パネルとしたときに表面側となる延伸部材２０の表面は、隣接するセラミックス板１２の表面と面一になるように配する。これにより装飾用樹脂フィルム１４で表面を覆って立体装飾用ボード１０としたときに、その表面にセラミックス板１２と延伸部材２０との境界で段差が生じることがなく、立体装飾用ボード１０としての美観を維持することができる。
【００２１】
延伸部材２０の大きさについては、一体化させるセラミックス板１２との関係において適宜定めることができる。ただし後述のとおり、本発明の立体修飾施工法によれば、出隅の角を超える突出高さは延伸部材２０の幅αを超えることができないので、この観点からは５ｍｍ以上有していることが好ましい。加えて、セラミックス板１２に対する延伸部材２０の存在割合としては、一方の割合が多くなりすぎると他方の素材の性質を損なうことになりかねない。このため幅長さの割合で定義すれば、延伸部材２０を含む側の不燃性基材パネルの幅β、すなわちセラミックス板１２幅と伸長辺２２を除いた延伸部材２０の幅との合計に対して、伸長辺２２を除いた延伸部材２０の幅αの割合（α／β）が百分率で１〜１０％とすることが好ましい。なお、「延伸部材２０を含む側の不燃性基材パネルの幅」とは、不燃性基材パネルの幅（縦幅，横幅）のうち、対象とすべき方向を規定したものである。
【００２２】
（伸長辺）
図２(a)及び図２(b)に示したとおり、延伸部材２０は、その裏面から板状に伸びる伸長辺２２を持つ。伸長辺２２の面の表裏については、角柱側の面を内側、反対側の面を外側とする。伸長辺２２の内側は、セラミックス板１２の裏面と接合することで、両者の隣接境界面だけで接着したとき以上に、強固に一体化した不燃性基材パネルが形成される。このようにセラミックス板１２と一体化させるためには、伸長辺２２の長さは５ｍｍ以上であることが好ましい。反対に、伸長辺２２の役割から一体化させるセラミックス板１２の幅（β−α）以上の長さとすることはできない。また、上述の伸長辺２２の役割からその厚みは０．５〜５．０ｍｍであることが好ましい。材質にもよるが、例えばアルミニウムまたはこれを含む合金を素材とした場合、厚みが０．５ｍｍ未満であるとセラミックス板１２との一体化に十分ではないおそれがある。一方５．０ｍｍを超えると、後述するとおりセラミックス板１２裏面との境界における段差が大きすぎるので、壁面下地４０との接着において強固な接着が難しくなる。このような伸長辺２２を有する延伸部材２０のうち、図２(a)に示した内部空洞の様態のものを作製するには、厚みが０．５〜５．０ｍｍである金属板を所定位置で屈曲させる方法が簡便である。
【００２３】
（立体修飾施工法）
立体装飾用ボード１０，１１を利用する立体修飾施工法としては、代表的な施工法として上述のＤボード工法を挙げることができる。Ｄボード工法では、複数の立体装飾用ボードの裏面に両面粘着テープ１８と接着剤１６で壁面下地４０などに目透かし貼りすることで壁面に立体的な修飾を施す。なお仕上がりに目地５０になる箇所には、予め不燃性基材パネルをラミネートした装飾用樹脂フィルム１４と同じ模様の装飾用樹脂フィルムを目地５０となる箇所から両端が若干はみ出る程度に貼付する。接着剤１６が乾燥して立体装飾用ボード１０と壁面下地４０との間で十分な接着力を発揮する（二次接着）までの接着として、両面粘着テープ１８を用いた接着（一次接着）を併せて行なうのが一般的である。
【００２４】
なお、Ｄボード工法では、接着剤として「３Ｍ（登録商標）化粧パネル用ボンドＩＢ２５」（主成分：シリル化ウレタン樹脂系）、両面テープとして「３Ｍ（登録商標）スコッチマウント（登録商標）両面粘着フォームテープＭＩＸ−３１３」（アクリル系粘着剤）を使用することが推奨されている。
【００２５】
（出隅における立体修飾施工法）
図３は、本発明の立体装飾施工法を出隅箇所に適用した様子を示す横断面平面図である。本発明の立体装飾用ボード１０を壁面の出隅において立体修飾のための部材として用いる本発明の立体修飾施工法においては、本発明の立体装飾用ボード１０を勝ち側３０の立体装飾用ボードとして用いる。すなわち、本発明の立体装飾用ボード１０は、その一部を出隅の角を超えて突出させた状態で前記壁面下地４０への接着が行なわれる。そして出隅の角を超えて突出している一部は、図３のように、立体装飾用ボード１０の装飾用樹脂フィルム１４の内部における延伸部材２０に相当する箇所となるように接着する。延伸部材２０に相当する箇所とは、実際の施工において、本発明の立体装飾用ボード１０を壁面に接着させるにあたって、立体装飾用ボード１０の外観からはどこまでが延伸部材２０であるかが判別することが難しいので、予め計測された延伸部材２０の長さに従った所定の箇所という意味である。立体装飾用ボード１０のどちらの端を突出させるかは、図２(a)及び図２(b)のとおり、立体装飾用ボード１０の裏面を見たときに、伸長辺２２が見える側が突出させる側であることが分かるので判別は容易である。なお、図３に示されているように、延伸部材２０に相当する箇所が突出していない部位にも存在していることは問題ない。
【００２６】
本発明の立体装飾用ボード１０を出隅の壁面下地４０に接着させる際の接着面は、立体装飾用ボード１０の裏面であるが、詳細には図３のとおり伸長辺２２の外側とセラミックス板１２の裏面（及び装飾用樹脂フィルム１４がラミネートされたセラミックス板１２裏面）である。すなわち、接着面である立体装飾用ボード１０の裏面には、伸長辺２２とセラミックス板１２の裏面との境界に、伸長辺２２の厚み分の段差が生じる。このため、本発明の立体修飾施工法においては、伸長辺２２の外側面と前記壁面が接着剤１６で接着されるとともに、伸長辺２２との接着箇所を除いた前記セラミックス板１２の裏面と前記壁面との接着にあたっては厚み０．５〜６．０ｍｍの両面粘着テープ１８を用いて接着するすることが好ましい。すなわち、上記の段差を両面テープの厚みで平坦化させることで両者の接着性を高めることができる。この観点からは伸長辺２２厚みと両面粘着テープ１８の厚みは一致させることが好ましいが、両面粘着テープ１８は多少の伸縮性を有するので、伸長辺２２厚みより両面粘着テープ１８の厚みを若干厚くしてもよい。なお、接着剤１６層の厚みや装飾用樹脂フィルム１４の厚みは上記の段差に比較すると無視できる差である。
【００２７】
以上ように施工した出隅の立体的な修飾は、外見上は、図４のように、全ての立体装飾用ボードに一般的な立体装飾用ボード１１を用いた場合と変わりないが、その性能は、勝ち側３０ボードの出隅の角から突出した箇所の耐衝撃性が大きく改善されたものになる。
【産業上の利用可能性】
【００２８】
以上の通り、本発明の立体装飾用ボードは、本発明の立体装飾施工法によって出隅に適用すれば、不慮の衝撃などでもその立体的な装飾が破壊されにくくなるので、産業上の有用性は大きい。
【符号の説明】
【００２９】
１０                  本発明の立体装飾用ボード
１１                  一般的な立体装飾用ボード
１２                  セラミックス板
１４                  装飾用樹脂フィルム
１６                  接着剤
１８                  両面テープ
２０                  延伸部材
２２                  伸長辺
３０                  勝ち側
３２                  負け側
４０                  壁面下地
５０                  目地
α          伸長辺を除いた前記延伸部材の長さ
β          不燃性基材パネルの幅
【図１】
2020090866.tif 000003
【図２】
2020090866.tif 000004
【図３】
2020090866.tif 000005
【図４】
2020090866.tif 000006